(57)【要約】【課題】壁面などの緑化を簡単に行うことができるとともに、植栽物を必要に応じて簡単に交換する。【解決手段】正面を開口した箱状に形成された収納コンテナ５に、略トレー状のホルダー本体２を有し、植栽物Ｐの葉茎部ｆがホルダー本体２外に露出されるとともに、ホルダー本体２に植栽物Ｐの根部ｒが代替土壌に包まれて地面に対して略水平状態に寝かされて収容されてなる植栽ホルダー１を、葉茎部ｆが開口側、根部ｒが背壁側５４に位置して収納されることにより、緑化ユニットが形成される。【選択図】  図１
2009082102.tif 000002
【特許請求の範囲】
【請求項１】
正面を開口した箱状に形成された収納コンテナに、略トレー状のホルダー本体を有し、植栽物の葉茎部がホルダー本体外に露出されるとともに、ホルダー本体に植栽物の根部が代替土壌に包まれて地面に対して略水平状態に寝かされて収容されてなる植栽ホルダーを、葉茎部が開口側、根部が背壁側に位置して収納されることを特徴とする緑化ユニット。
【請求項２】
請求項１記載の複数個の緑化ユニットが、開口側を前面として左右方向および／または上下方向に連続して、もしくは不連続に配置されることを特徴とする緑化システム。
【請求項３】
請求項１記載の緑化ユニットを構成する植栽ホルダーであって、正面部、底面部、左右の側面部および背面部からなる上面を開口した略トレー状のホルダー本体を有し、正面部に切欠部が形成され、切欠部を通して植栽物の葉茎部がホルダー本体外に露出されるとともに、ホルダー本体に植栽物の根部が代替土壌に包まれて地面に対して略水平状態に寝かされて収容されることを特徴とする植栽ホルダー。
【請求項４】
請求項１記載の緑化ユニットを構成する植栽ホルダーであって、正面部、底面部、左右の側面部および背面部からなる上面を開口した略トレー状のホルダー本体を有し、正面部に複数個の切欠部が幅方向に間隔をおいて形成され、各切欠部を通して各植栽物の葉茎部がそれぞれホルダー本体外に露出されるとともに、ホルダー本体に複数個の植栽物の各根部がそれぞれ代替土壌に包まれて地面に対して略水平状態に寝かされて収容されることを特徴とする植栽ホルダー。
【請求項５】
請求項３記載の植栽ホルダーにおいて、前記左右の側面部のいずれか一方に近接する底面部に灌水を貯留する堰が形成されるとともに、堰に過剰の水を外部に排水する流出口が形成されることを特徴とする植栽ホルダー。
【請求項６】
請求項４記載の植栽ホルダーにおいて、前記隣接する切欠部の間を臨む底面部に灌水を貯留する堰が形成されるとともに、各堰に過剰の水を外部に排水する流出口が形成されることを特徴とする植栽ホルダー。
【請求項７】
請求項３乃至６のいずれか一つに記載の植栽ホルダーにおいて、前記切欠部に臨んで底面部に植栽物の根部を包む代替土壌を底面部から離隔して支持する支持リブが立設されることを特徴とする植栽ホルダー。
【請求項８】
請求項３乃至７のいずれか一つに記載の植栽ホルダーにおいて、前記左右の側面部に外方に延出するフランジが形成されるとともに、その背面部側に係止片が垂設されることを特徴とする植栽ホルダー。
【請求項９】
請求項３乃至８のいずれか一つに記載の植栽ホルダーにおいて、前記ホルダー本体に、正面部、上面部、左右の側面部および背面部からなる下面を開口した略逆トレー状の蓋体がヒンジを介して開閉自在に連結される一方、蓋体の正面部に、ホルダー本体の正面部に形成された切欠部に対応して上下略対称な切欠部が形成されることを特徴とする植栽ホルダー。
【請求項１０】
請求項９記載の植栽ホルダーにおいて、前記蓋体の上面部に植栽物の根部に臨んで下り勾配の傾斜面による谷が形成されるとともに、谷に灌水を内部に導く導入口が形成されることを特徴とする植栽ホルダー。
【請求項１１】
請求項１記載の緑化ユニットを構成する収納コンテナであって、底壁部、左右の側壁部、上壁部および背壁部からなる正面を開口した箱状に形成され、その収容空間に請求項３乃至１０のいずれか一つに記載の植栽ホルダーが収納されることを特徴とする収納コンテナ。
【請求項１２】
請求項１記載の緑化ユニットを構成する収納コンテナであって、底壁部、左右の側壁部、上壁部および背壁部からなる正面を開口した横長の箱状に形成されるとともに、幅方向に間隔をおいて１個または複数個の隔壁が立設されて内部が複数個の収容空間に区画され、隔壁によって区画された各収容空間に請求項３乃至１０のいずれか一つに記載の植栽ホルダーがそれぞれ収納されることを特徴とする収納コンテナ。
【請求項１３】
請求項１記載の緑化ユニットを構成する収納コンテナであって、底壁部、左右の側壁部、上壁部および背壁部からなる正面を開口した箱状に形成されるとともに、左右の側壁部の内面に、前記植栽ホルダーに形成されたフランジに対応して１個または上下方向に間隔をおいて複数個のガイドレールが背壁部側に係止片に相当する長さを除いて前後方向にほぼ水平に形成された収容空間に請求項８記載の１個の植栽ホルダーまたは上下方向に間隔をおいて複数個の植栽ホルダーがそれぞれ左右対向するガイドレールに左右のフランジが支持されて収納されることを特徴とする収納コンテナ。
【請求項１４】
請求項１記載の緑化ユニットを構成する収納コンテナであって、底壁部、左右の側壁部、上壁部および背壁部からなる正面を開口した横長の箱状に形成されるとともに、幅方向に間隔をおいて１個または複数個の隔壁が立設されて内部が複数個の収容空間に区画され、また、左右の側壁部の内面に、前記植栽ホルダーに形成されたフランジに対応して１個または上下方向に間隔をおいて複数個のガイドレールが背壁部側に係止片に相当する長さを除いて前後方向にほぼ水平に形成されるとともに、各隔壁の左右外面に、左右の側壁部にそれぞれ形成された１個または複数個のガイドレールに対応してそれぞれ左右対称な１個または複数個のガイドレールが形成され、隔壁によって区画された各収容空間に請求項８記載の１個の植栽ホルダーまたは上下方向に間隔をおいて複数個の植栽ホルダーがそれぞれ左右対向するガイドレールに左右のフランジが支持されて収納されることを特徴とする収納コンテナ。
【請求項１５】
請求項１１乃至１４のいずれか一つに記載の収納コンテナにおいて、収納された植栽ホルダーに収容された植栽物の根部または植栽ホルダーの上面部に形成された谷に臨んで上壁部に下り勾配の傾斜面による谷が形成されるとともに、谷に灌水を内部に流入させる流入口が形成されることを特徴とする収納コンテナ。
【発明の詳細な説明】
【技術分野】
【０００１】
この発明は、緑化ユニットおよび複数個の緑化ユニットからなる緑化システムならびに緑化ユニットを構成する花卉などを収容可能な植栽ホルダーおよび植栽ホルダーを収納可能な収納コンテナに関するものである。
【背景技術】
【０００２】
従来より、蔓性植物を躯体の壁面に植生させて緑化することが知られているが、蔓性植物の成長は緩やかであり、しかも、壁面を満遍なく緑化するためには、長時間を必要とすることから、工業的には採用することは難しい。
【０００３】
このため、特許文献１に示すように、コンテナに培土を収容するとともに、植栽物を植え込んだ緑化コンテナを壁面に取り付けることにより、壁面を緑化することが提案されている。
【特許文献１】特開２００４−１７３５６４号公報
【発明の開示】
【発明が解決しようとする課題】
【０００４】
しかしながら、前述した緑化コンテナは、壁面に取り付けるに際して、壁面にコンテナを固定するための設備が必要となり、簡単に取り付けることが困難である。しかも、上下のコンテナが切り離されて取り付けられることから、灌水を各コンテナに各別に行う必要があり、十分な水の供給が難しい他、季節など必要に応じて苗を交換しようとしても、壁面からコンテナを取り外して行わなければならず、作業が煩雑になるばかりでなく、多くの時間が必要になる。
【０００５】
本発明は、このような問題点に鑑みてなされたもので、壁面などの緑化を簡単に行うことができるとともに、植栽物を必要に応じて簡単に交換することのできる緑化ユニットおよび緑化システムならびに植栽物を収容可能な植栽ホルダーおよび植栽ホルダーを収納可能な収納コンテナを提供するものである。
【課題を解決するための手段】
【０００６】
本発明の緑化ユニットは、正面を開口した箱状に形成された収納コンテナに、略トレー状のホルダー本体を有し、植栽物の葉茎部がホルダー本体外に露出されるとともに、ホルダー本体に植栽物の根部が代替土壌に包まれて地面に対して略水平状態に寝かされて収容されてなる植栽ホルダーを、葉茎部が開口側、根部が背壁側に位置して収納されることを特徴とするものである。
【０００７】
本発明によれば、植栽物の葉茎部がホルダー本体外に露出されるとともに、植栽物の根部が代替土壌に包まれて地面に対して略水平状態に寝かされてホルダー本体に収容される。そして、植栽物が収容されたホルダー本体からなる植栽ホルダーが正面を開口した箱状に形成された収納コンテナに葉茎部が開口側、根部が背壁側に位置して収納されることにより、収納コンテナの正面開口が、該収納コンテナに収納された植栽ホルダーの植栽物の葉茎部によって覆われることから、収納コンテナの正面開口、すなわち、垂直面を植栽物の葉茎部によって緑化することができるととともに、収納コンテナに対して植栽物を収容した植栽ホルダーを交換することにより、簡単に植栽物を変更することができる。
【０００８】
本発明の緑化システムは、請求項１記載の複数個の緑化ユニットが、開口側を前面として左右方向および／または上下方向に連続して、もしくは、不連続に配置されることを特徴とするものである。
【０００９】
本発明によれば、複数個の緑化ユニットを開口側を前面とし左右方向に連続して、もしくは、不連続に配置して、または、上下方向に連続して、もしくは、不連続に配置して、さらには、左右方向および上下方向に連続して、もしくは、不連続に配置することにより、植栽物の葉茎部による垂直面の緑化を左右方向、または、上下方向、もしくは、上下左右方向に簡単に延長することができる。
【００１０】
本発明の植栽ホルダーは、請求項１記載の緑化ユニットを構成する植栽ホルダーであって、正面部、底面部、左右の側面部および背面部からなる上面を開口した略トレー状のホルダー本体を有し、正面部に切欠部が形成され、切欠部を通して植栽物の葉茎部がホルダー本体外に露出されるとともに、ホルダー本体に植栽物の根部が代替土壌に包まれて地面に対して略水平状態に寝かされて収容されることを特徴とするものである。
【００１１】
本発明によれば、植栽物の根部を代替土壌に包むとともに、植栽物の葉茎部をホルダー本体外に露出させて、ホルダー本体に植栽物を略水平状態に寝かして収容することができることから、土壌に植栽物を植え込む作業が不要となり、作業が容易となる。
【００１２】
本発明の植栽ホルダーは、請求項１記載の緑化ユニットを構成する植栽ホルダーであって、正面部、底面部、左右の側面部および背面部からなる上面を開口した略トレー状のホルダー本体を有し、正面部に複数個の切欠部が幅方向に間隔をおいて形成され、各切欠部を通して各植栽物の葉茎部がそれぞれホルダー本体外に露出されるとともに、ホルダー本体に複数個の植栽物の各根部がそれぞれ代替土壌に包まれて地面に対して略水平状態に寝かされて収容されることを特徴とするものである。
【００１３】
本発明によれば、各植栽物の根部をそれぞれ代替土壌に包むとともに、各植栽物の葉茎部をそれぞれホルダー本体外に露出させて、ホルダー本体に複数個の植栽物をそれぞれ略水平状態に寝かして収容することができることから、土壌に複数個の植栽物を順次植え込む作業が不要となり、作業が容易となる。
【００１４】
本発明において、前記左右の側面部のいずれか一方に近接する底面部に灌水を貯留する堰が形成されるとともに、堰に過剰の水を外部に排水する流出口が形成されることが好ましい。これにより、ホルダー本体に一定量の水を貯えることができることから、代替土壌を通して植栽物の根部に水を供給することができ、水不足による植栽物の枯死を防止することができるとともに、必要以上の水を排水することができる。
【００１５】
本発明において、前記隣接する切欠部の間を臨む底面部に灌水を貯留する堰が形成されるとともに、各堰に過剰の水を外部に排水する流出口が形成されることが好ましい。これにより、ホルダー本体に収容された各植栽部に対応してそれぞれ一定量の水を貯えることができることから、代替土壌を通して各植栽物の根部に水を供給することができ、水不足による植栽物の枯死を各別に防止することができるとともに、必要以上の水を排水することができる。
【００１６】
本発明において、前記切欠部に臨んで底面部に植栽物の根部を包む代替土壌を底面部から離隔して支持する支持リブが立設されることが好ましい。これにより、代替土壌が底面部に接触しないように支持することができ、貯えられた水に根部が常時浸漬して根腐れを生じることを防止できる。
【００１７】
本発明において、前記左右の側面部に外方に延出するフランジが形成されるとともに、その背面部側に係止片が垂設されることが好ましい。これにより、植栽ホルダーをフランジを利用して収納コンテナに懸吊することができ、収納コンテナに上下方向に複数個の植栽ホルダーを収容することが可能となる。また、係止片を利用して懸吊された植栽ホルダーの収納コンテナからの脱落を防止することができる。
【００１８】
本発明において、前記ホルダー本体に、正面部、上面部、左右の側面部および背面部からなる下面を開口した略逆トレー状の蓋体がヒンジを介して開閉自在に連結される一方、蓋体の正面部に、ホルダー本体の正面部に形成された切欠部に対応して上下略対称な切欠部が形成されることが好ましい。これにより、植栽ホルダーをホルダー本体および蓋体からなる略密閉空間に形成することができ、灌水の蒸発を抑えることができる。
【００１９】
本発明において、前記蓋体の上面部に植栽物の根部に臨んで下り勾配の傾斜面による谷が形成されるとともに、谷に灌水を内部に導く導入口が形成されることが好ましい。これにより、植栽ホルダーの上方から散水すれば、水は蓋体の傾斜面に沿って流下し、導入口を通して植栽物の根部に滴下することから、植栽物の根部に確実に給水することができるとともに、灌水作業が容易となる。
【００２０】
本発明の収納コンテナは、請求項１記載の緑化ユニットを構成する収納コンテナであって、底壁部、左右の側壁部、上壁部および背壁部からなる正面を開口した箱状に形成され、その収容空間に請求項３乃至１０のいずれか一つに記載の植栽ホルダーが収納されることを特徴とするものである。
【００２１】
本発明によれば、収納コンテナの収容空間に請求項３乃至１０のいずれか一つに記載の１個または複数個の植栽ホルダーを収容することができる。
【００２２】
本発明の収納コンテナは、請求項１記載の緑化ユニットを構成する収納コンテナであって、底壁部、左右の側壁部、上壁部および背壁部からなる正面を開口した横長の箱状に形成されるとともに、幅方向に間隔をおいて１個または複数個の隔壁が立設されて内部が複数個の収容空間に区画され、隔壁によって区画された各収容空間に請求項３乃至１０のいずれか一つに記載の植栽ホルダーがそれぞれ収納されることを特徴とするものである。
【００２３】
本発明によれば、収納コンテナの内部に隔壁によって複数個の収容空間を形成することが可能となり、各収容空間に請求項３乃至１０のいずれか一つに記載の１個または複数個の植栽ホルダーを収容することができる。
【００２４】
本発明の収納コンテナは、請求項１記載の緑化ユニットを構成する収納コンテナであって、底壁部、左右の側壁部、上壁部および背壁部からなる正面を開口した箱状に形成されるとともに、左右の側壁部の内面に、前記植栽ホルダーに形成されたフランジに対応して１個または上下方向に間隔をおいて複数個のガイドレールが背壁部側に係止片に相当する長さを除いて前後方向にほぼ水平に形成された収容空間に請求項８記載の１個の植栽ホルダーまたは上下方向に間隔をおいて複数個の植栽ホルダーがそれぞれ左右対向するガイドレールに左右のフランジが支持されて収納されることを特徴とするものである。
【００２５】
本発明によれば、収納コンテナの収容空間に請求項８記載の１個の植栽ホルダーをその係止片によって脱落を防止して、または、複数個の植栽ホルダーを上下方向に重ねて、かつ、各係止片によって各別に脱落を防止して収容することができる。
【００２６】
本発明の収納コンテナは、請求項１記載の緑化ユニットを構成する収納コンテナであって、底壁部、左右の側壁部、上壁部および背壁部からなる正面を開口した横長の箱状に形成されるとともに、幅方向に間隔をおいて１個または複数個の隔壁が立設されて内部が複数個の収容空間に区画され、また、左右の側壁部の内面に、前記植栽ホルダーに形成されたフランジに対応して１個または上下方向に間隔をおいて複数個のガイドレールが背壁部側に係止片に相当する長さを除いて前後方向にほぼ水平に形成されるとともに、各隔壁の左右外面に、左右の側壁部にそれぞれ形成された１個または複数個のガイドレールに対応してそれぞれ左右対称な１個または複数個のガイドレールが形成され、隔壁によって区画された各収容空間に請求項８記載の１個の植栽ホルダーまたは上下方向に間隔をおいて複数個の植栽ホルダーがそれぞれ左右対向するガイドレールに左右のフランジが支持されて収納されることを特徴とするものである。
【００２７】
本発明によれば、収納コンテナの内部に隔壁によって複数個の収容空間を形成することが可能となり、各収容空間に請求項８記載の１個の植栽ホルダーをその係止片によって脱落を防止して、または、複数個の植栽ホルダーを上下方向に重ねて、かつ、各係止片によって各別に脱落を防止してそれぞれ収容することができる。
【００２８】
本発明において、請求項１１乃至１４のいずれか一つに記載の収納コンテナにおいて、収納された植栽ホルダーに収容された植栽物の根部または植栽ホルダーの上面部に形成された谷に臨んで上壁部に下り勾配の傾斜面による谷が形成されるとともに、谷に灌水を内部に流入させる流入口が形成されることが好ましい。これにより、収納コンテナの上方から散水すれば、水は上壁部の傾斜面に沿って流下し、流入口を通して植栽物の根部に直接滴下し、または、植栽ホルダーの上面部に形成された谷に向けて滴下するとともに、その導入口を通して植栽物の根部に滴下することから、植栽物の根部に確実に給水することができるとともに、灌水作業が容易となる。
【発明の効果】
【００２９】
本発明の緑化ユニットによれば、植栽物を収容した植栽ホルダーを収納コンテナに収納することにより、その正面開口を植栽ホルダーから外方に露出された植栽物の葉茎部で覆って簡単に緑化することができるとともに、必要に応じて植栽物を収容した植栽ホルダーを交換して、植栽物を簡単に変更することができる。また、このような緑化ユニットを左右方向および／または上下方向に複数個配置することにより、それらの正面側開口群を一定長さにわたって、または、一定高さにわたって、もしくは、一定長さと高さにわたって緑化することができる。
【００３０】
また、本発明の植栽ホルダーによれば、植栽物を簡単に収容してその正面側を葉茎部で覆うことができるとともに、必要に応じて植栽物を交換して変更することができる。
【発明を実施するための最良の形態】
【００３１】
以下、本発明の実施の形態を図面に基づいて説明する。
【００３２】
図１には、本発明の緑化システム１が示されている。
【００３３】
この緑化システム１００は、複数個の緑化ユニット１０を上下方向に積み重ねるとともに、左右方向に延設して形成されている。そして、各緑化ユニット１０は、複数個の植栽ホルダー１を収納コンテナ５に収納して形成されている。
【００３４】
まず、植栽ホルダー１は、図２に示すように、プラスチックによって成形されたホルダー本体２および該ホルダー本体２とほぼ上下対称な蓋体３を開閉自在に連結して構成され、内部に複数個（図においては２個）の植栽物Ｐの各根部ｒをそれぞれ代替土壌Ｓで包んで幅方向に間隔をおいて収容されるように設定されている。
【００３５】
ここで、代替土壌Ｓとしては、吸水性、保水性を有し、かつ、非流出性を有する培土であって、例えば、水苔、ヤシ殻繊維、ロックウール、連続気泡の発泡体などをこのままで、あるいは、不織布などのシート状物として、または、植栽物Ｐの根部ｒを収容可能にブロック状に成形したものなどを挙げることができる。
【００３６】
ホルダー本体２は、正面部２１、底面部２２、左右の側面部２３および背面部２４によって上面を開口した略トレー状に形成されている。そして、ホルダー本体２の正面部２１には、代替土壌に包まれた植栽物Ｐの根部ｒをコンテ本体２に残してその葉茎部ｆを外方に露出させる複数個の半円状の切欠部２１ａが幅方向に間隔をおいて形成されている。
【００３７】
一方、ホルダー本体２の底面部２２には、隣接する切欠部２１ａ間となる幅方向の中央部において、前後方向にわたって上方に立ち上げられた堰２２１が形成されており、この堰２２１には、流出口２２ａが前後方向に間隔をおいて形成されている。これにより、ホルダー本体２の底面部２２には、堰２２１を越えて流出口２２ａより流出するまでの高さの水を貯留することができる。また、ホルダー本体２の底面部２２には、堰２２１によって区画された左右各半部において、つまり、各切欠部２１ａに臨んでそれぞれ代替土壌Ｓによって包まれた植栽物Ｐの根部ｒをそれぞれ支持する支持リブ２２２が前後方向に間隔をおいて立設されており、代替土壌Ｓが底面部２２に直接接触することが防止されている。
【００３８】
なお、支持リブ２２２には、底面部２２に貯留された水が前後流通するように、それぞれ切欠部２２ｂが形成されている。
【００３９】
ホルダー本体２の左右の側面部２３は、上方に向かって若干外方に傾斜しており、その上端縁に外方に延出するフランジ２３１が形成されるとともに、その背面部側端部には、係止片２３２が垂設されている。これにより、後述する収納コンテナ５のガイドレール５２１，５５１に係止片２３２を沿わせて植栽ホルダー１を摺動させることができ、収納コンテナ５に植栽ホルダー１を収容し、あるいは、収納コンテナ５から収容された植栽ホルダー１を引き出すことができる。
【００４０】
なお、植栽ホルダー１におけるホルダー本体２の係止片２３２は、後述するように、収納コンテナ５のガイドレール５２１，５５１に形成された切欠部５２ａ，５５ａに落ち込むことにより、植栽ホルダー１が収納コンテナ５から不用意に脱落することが防止されている。
【００４１】
蓋体３は、正面部３１、上面部３２、左右の側面部３３および背面部３４によって下面を開口した略逆トレー状に形成され、その背面部３４がホルダー本体２の背面部２４にＰＰヒンジを介して連結されている。そして、ホルダー本体２に対して蓋体３をヒンジ回りに回動させてホルダー本体２の上面開口を閉鎖した際、ホルダー本体２の正面部２１、左右の側面部２３および背面部２４の面一な上端面に蓋体３の正面部３１、左右の側面部３３および背面部３４の面一な下端面が接合し、略直方体状の箱を形成するように設定されている。
【００４２】
蓋体３の正面部３１には、ホルダー本体２の正面部２１に形成された複数個の半円状の切欠部２１ａにそれぞれ対応して上下対称な複数個の半円状の切欠部３１ａが形成されており、蓋体３によってホルダー本体２の上面開口を閉鎖した際、それらの正面部２１，３１の外面および内面がそれぞれ面一に連続し、複数個の円形状穴が形成されるようになっている。これにより、代替土壌Ｓによって包まれた植栽物Ｐの根部ｒを植栽ホルダー１の内部に残して、その正面に形成された円形状穴を通して植栽物Ｐの葉茎部ｆを外方に露出させることができる（図３参照）。
【００４３】
また、蓋体３の上面部３２は、その左右各半部において、その幅方向の中央部に向けて下り勾配の一対の傾斜面３２１に形成されるとともに、一対の傾斜面３２１が交差する谷には、導入口３２ａが形成されている。したがって、植栽ホルダー１における蓋体３の上面部３２に散水した際、水を下り勾配の傾斜面３２１に沿ってそれぞれ左右各半部の谷に集めて導入口３２ａから内部に滴下させることができる。これにより、植栽ホルダー１に収容された複数個の植栽物Ｐの各根部ｒにそれぞれ代替土壌Ｓを通して水を供給することができるとともに、代替土壌Ｓを通過した水は、ホルダー本体２の底面部２２に滴下して貯留され、過剰の水は、堰２２１を溢れて流出口２２ａから外部に流出する。
【００４４】
なお、上面部３２は、正面部３１、左右の側面部３３および背面部３４の各上端面よりも低い位置に形成されている。したがって、植栽ホルダー１を上下に積み重ねた際、下方の植栽ホルダー１における蓋体３の周縁上端面に、上方の植栽ホルダー１におけるホルダー本体２の底面部２２が載置され、上方の植栽ホルダー１におけるホルダー本体２の底面部２２と下方の植栽ホルダー１における蓋体３の上面部３２との間には一定の空間が確保されるようになっている。
【００４５】
蓋体３の左右の側面部３３は、下方に向かって若干外方に傾斜しており、その下端縁に前述したホルダー本体２の左右の側面部２３に形成されたフランジ２３１に対応して外方に延出するフランジ３３１が形成されている。そして、蓋体３によってホルダー本体２の上面開口を閉鎖した際、ホルダー本体２の左右の側面部２３の上端面に蓋体３の左右の側面部３３の下端面が接合し、それらの内端縁が略面一に連続するように設定されている。
【００４６】
なお、植栽ホルダー１を成形するプラスチックとしては、ポリプロピレンなどの汎用のプラスチックでもよいが、生分解性プラスチックを採用することが好ましい。これにより、代替土壌Ｓによって根部ｒが包まれた植栽物Ｐを植栽ホルダー１に収容した状態で廃棄しても、土に還ることになり、植栽物Ｐを季節などによって交換する場合に、分別作業が不要となり、容易に交換することができるとともに、廃棄物処理コストを低減させることが可能となる。
【００４７】
一方、収納コンテナ５は、底壁部５１、左右の側壁部５２、上壁部５３および背壁部５４によって正面を開口した横長の箱状に形成され、その内部が複数個の隔壁５５によって複数個に区画されている。具体的には、収納コンテナ５は、２枚の隔壁５５によって幅方向に３分割され、区画された各収容空間にそれぞれ上下２段の植栽ホルダー１が収容可能となっている。つまり、１個の収納コンテナ５は、６個の植栽ホルダー１を収容することができ、１個の収納コンテナ５に６個の植栽ホルダー１を収容して緑化ユニット１０が形成される。
【００４８】
なお、収納コンテナ５の正面側開口端には、背壁部５４の外形寸法に一致する外形寸法の補強フランジ５ａが外方に延出されている。
【００４９】
収納コンテナ５の底壁部５１には、区画された各収容空間の幅方向の中央部において、排水口５１ａが形成されている他、その外面の隔壁５５が対応する位置において、前後方向の中間部に下方より見て十字状の溝からなる複数個の嵌合凹部（図示せず）が形成されており、後述する上壁部５３に形成された嵌合凸部５３１と互いに嵌合可能となっている。
【００５０】
また、収納コンテナ５の左右の側壁部５２には、その内面に植栽ホルダー１のホルダ本体２の側面部２３に形成された係止片２３２を案内する２条のガイドレール５２１が上下方向に間隔をおいて形成されている。同様に、各隔壁５５の左右外面にも、側壁部５２の２条のガイドレール５２１にそれぞれ対応して左右対称な２条のガイドレール５５１が形成されている。これらのガイドレール５２１，５５１は、背壁部端部が植栽ホルダー１におけるホルダー本体２に形成された係止片２３２の長さに相当する長さにわたって切り欠かれており、これにより、前述した植栽ホルダー１の係止片２３２を切欠部５２ａ，５５ａに落とし込むことができる。すなわち、収納コンテナ５の区画された各収容空間において、ガイドレール５２１，５５１に沿って植栽ホルダー１の左右の係止片２３２を摺動させて押し込むことにより、植栽ホルダー１の左右の係止片２３２がガイドレール５２１，５５１の切欠部５２ａ，５５ａに落ち込むことになる。この結果、係止片２３２がガイドレール５２１，５５１の先端と係合し、植栽ホルダー１が収納コンテナ５から脱落することを防止できる。
【００５１】
ここで、下方のガイドレール５２１，５５１は、その切欠部５２ａ，５５ａに植栽ホルダー１の係止片２３２が落ち込んだ際、植栽ホルダー１の底面部２２が収納コンテナ５の底壁部５１に載置されるとともに、そのホルダー本体２の側面部２３の各フランジ２３１がガイドレール５２１，５５１に載置されるように、高さ位置が設定されている。また、上方のガイドレール５２１，５５１は、その切欠部５２ａ，５５ａに植栽ホルダー１の係止片２３２が落ち込んだ際、上方の植栽ホルダー１の底面部２２が下方の植栽ホルダー１の蓋体３の上端面に載置されるとともに、そのホルダー本体２の側面部２３の各フランジ２３１がガイドレール５２１，５５１に載置されるように、高さ位置が設定されている。
【００５２】
また、収納コンテナ５の左右の側壁部５２の下端縁部内面には、その前後方向中間部において、下方より見てＴ字状の溝からなる嵌合凹部（図示せず）が底壁部５１の外面にわたって形成され、また、上端縁部内面には、その前後方向中間部において、上方より見てＴ字状のリブからなる嵌合凸部５２２が上端縁から突出しつつ上壁部５３の外面にわたって形成されている。したがって、収納コンテナ５の上面に収納コンテナ５を積み重ねた際、下方の収納コンテナ５の左右の側壁部５２の上端縁に突出して形成された嵌合凸部５２２に、上方の収納コンテナ５の左右の側壁部５２の下端縁部に形成された嵌合凹部がそれぞれ嵌合し、下方の収納コンテナ５に対して上方の収納コンテナ５の移動を防止することができる。
【００５３】
なお、左右の側壁部５２には、灌水ホースＨを配置するための切欠部５２ｂが左右方向に連続するように形成されている。
【００５４】
一方、収納コンテナ５の上壁部５３には、前後方向中間部において、その外面の隔壁５５が対応する位置に上方より見て十字状のリブからなる複数個の嵌合凸部５３１が形成されており、前述した底壁部５１に形成された嵌合凹部にそれぞれ嵌合可能となっている。すなわち、収納コンテナ５の上面に収納コンテナ５を積み重ねた際、下方の収納コンテナ５の上壁部５３に形成された嵌合凸部５３１に、上方の収納コンテナ５の底壁部５１に形成された嵌合凹部がそれぞれ嵌合し、下方の収納コンテナ５に対して上方の収納コンテナ５の移動を防止することができる。
【００５５】
なお、これらの嵌合凸部５３１は、各隔壁５５に対応して前後方向に延びる補強リブ５３３によって補強されている他、これらの補強リブ５３３には、灌水ホースＨを配置するための切欠部５３ｂが、前述した左右の側壁部５２の上端縁部にそれぞれ形成された切欠部５２ｂと左右方向にほぼ一線に連続するように形成されている。
【００５６】
また、収納コンテナ５の上壁部５３には、隔壁５５によって区画された各収容空間において、その幅方向の中央部を基準として、それらの左右各半部の中間部に向けて一対の下り勾配の傾斜面５３２に形成されるとともに、一対の下り勾配の傾斜面５３２が交差する谷には、流入口５３ａが形成されている。つまり、収納コンテナ５の上壁部５３には、隔壁５５によって区画された各収容空間にそれぞれ植栽ホルダー１を収納した際、その蓋体３の上面部３２に形成された２本の谷にそれぞれ対応する直上位置に２本の谷が形成されるものである。
【００５７】
したがって、収納コンテナ５の上壁部５３に散水した際、隔壁５５によって区画された各収容空間において、水を上壁部５３の各傾斜面５３２に沿って左右各半部の中央部となる２本の谷に導くとともに、流入口５３ａを通して植栽ホルダー１における蓋体３の上面部３２に形成された谷を経て導入口３２ａから滴下させることができる。
【００５８】
次に、このように構成された植栽ホルダー１を収納コンテナ５に収納して緑化ユニット１０を形成するとともに、複数個の緑化ユニット１０によって緑化システム１００を形成する要領について説明する。
【００５９】
まず、多数の植栽物Ｐの各根部ｒをそれぞれ代替土壌Ｓで包んで用意するとともに、多数の植栽ホルダー１のホルダー本体２に対して各蓋体３をヒンジ回りに回動し、ホルダー本体２の上面を開口しておく。
【００６０】
次いで、代替土壌Ｓによって包まれた植栽物Ｐの根部ｒを、植栽ホルダー１におけるホルダー本体２の底面部２２に立設された左右の支持リブ２２２上に略水平状態に寝かせて配置し、支持させる。この際、各植栽物Ｐの葉茎部ｆを植栽ホルダー１におけるホルダー本体２の正面部２１の切欠部２１ａを通してそれぞれ外方に露出させる。植栽ホルダー１のホルダー本体２に２個の植栽物Ｐを収容したならば、その蓋体３をヒンジ回りに回動させ、ホルダー本体２の上面開口を蓋体３によって閉鎖する。この際、詳細には図示しないが、蓋体３に設けた係止爪がホルダー本体２に係合し、ホルダー本体２に対して蓋体３が閉鎖状態に保持される。以下、同様に、植栽ホルダー１に植栽物Ｐを収容する。
【００６１】
このようにして、植栽物Ｐが収容された植栽ホルダー１は、収納コンテナ５における隔壁５５によって区画された各収容空間に収納される。すなわち、植栽物Ｐが収容された植栽ホルダー１を葉茎部ｆが手前に位置するように把持した後、各収容空間における下方のガイドレール５２１，５５１に植栽ホルダー１におけるホルダー本体２の係止片２３２を載せて、背壁部５４に向けて押し込む。これにより、植栽ホルダー１は、下方のガイドレール５２１，５５１に沿って係止片２３２が摺動する。そして、係止片２３２がガイドレール５２１，５５１の切欠部５２ａ，５５ａに達すれば、係止片２３２がガイドレール５２１，５５１の切欠部５２ａ，５５ａに落ち込むことから、植栽ホルダー１の底面部２２が収納コンテナ５の底壁部５１に載置されるともに、植栽ホルダー１におけるホルダー本体２の左右のフランジ２３１が下方のガイドレール５２１，５５１に載置される。この際、植栽ホルダー１の係止片２３２がガイドレール５２１，５５１の切欠部５２ａ，５５ａに落ち込んで、係止片２３２がガイドレール５２１，５５１の先端に係合することから、係止片２３２、すなわち、植栽ホルダー１の移動が阻止され、収納コンテナ５からの植栽ホルダー１の脱落が防止される。
【００６２】
隔壁５５によって区画された各収容空間における下方のガイドレール５２１，５５１に植栽ホルダー１を収納し、支持したならば、同様にして、隔壁５５によって区画された各収容空間における上方のガイドレール５２１，５５１に植栽ホルダー１におけるホルダー本体２の係止片２３２を載せ、背壁部５４に向けて押し込む。これにより、植栽ホルダー１は、上方のガイドレール５２１，５５１に沿って係止片２３２が摺動する。そして、係止片２３２がガイドレール５２１，５５１の切欠部５２ａ，５５ａに達すれば、係止片２３２がガイドレール５２１，５５１の切欠部５２ａ，５５ａに落ち込むことから、植栽ホルダー１の底面部２２が先に収納された植栽ホルダー１の上端面に載置されるともに、植栽ホルダー１の左右のフランジ２３１が上方のガイドレール５２１，５５１に載置されて支持される。この際、植栽ホルダー１の係止片２３２がガイドレール５２１，５５１の先端に係合し、植栽ホルダー１の移動が阻止される結果、収納コンテナ５からの植栽ホルダー１の脱落が防止される。
【００６３】
隔壁５５によって区画された各収容空間における上方のガイドレール５２１，５５１に植栽ホルダー１を収納し、支持すれば、植栽物Ｐをそれぞれ収容した合計６個の植栽ホルダー１を収納コンテナ５に収納して緑化ユニット１０が形成される。これにより、収納コンテナ５の正面開口は、植栽ホルダー１の外方に露出された植栽物Ｐの葉茎部ｆが覆うことになり、その正面開口である垂直面を緑化することができる。
【００６４】
多数の緑化ユニット１０が形成されたならば、緑化ユニット１０を上下方向に積み重ねるとともに、左右方向に延設して、複数列、複数段の緑化ユニット１０からなる壁状の緑化システム１００が形成される。
【００６５】
この場合、緑化ユニット１０を複数段に積み重ねるにあたって、下方の緑化ユニット１０を構成する収納コンテナ５の上壁部５３に形成された嵌合凸部５３１および側壁部５２の上端部に形成された嵌合凸部５２２に、上方の緑化ユニット１０を構成する収納コンテナ５の底壁部５１に形成された嵌合凹部および左右の側壁部５２の下端縁部に形成された嵌合凹部を嵌合させ、下方の緑化ユニット１０に対する上方の緑化ユニット１０の移動を防止し、容易に脱落しないように規制する。
【００６６】
また、下方の緑化ユニット１０を構成する収納コンテナ５の上壁部５３に、設定間隔で注水口が形成された灌水ホースＨを配置し、左右方向に緑化ユニット１０を延設する際に、連続する緑化ユニット１０を構成する収納コンテナ５の上壁部５３に配置される灌水ホースＨと接続できるようにしておく。そして、複数列、複数段の緑化ユニット１０からなる壁状の緑化システム１００が形成されたならば、左右方向に接続された灌水ホースＨの一端部同士を図示しない上下方向に延びる灌水パイプに接続するとともに、他端部を閉鎖し、灌水パイプを図示しない給水源、例えば、水栓金具に接続すればよい。
【００６７】
したがって、給水源を作動させて水を灌水パイプに供給すれば、灌水パイプから各灌水ホースＨに水が供給され、各灌水ホースＨの注水口から水が流出し、各緑化ユニット１０を構成する収納コンテナ５の上壁部５３に散水する。
【００６８】
この場合、任意の収納コンテナ５の上壁部５３に供給された水は、隔壁５５によって区画された各収容空間に対応する部分毎に傾斜面５３２に沿って流下し、それぞれ一対の傾斜面５３２によって形成された各谷に集められた後、各谷において流入口５３ａを通して内部に流入する。そして、収納コンテナ５の上壁部５３に形成された各流入口５３ａは、該流入口５３ａが上方の植栽ホルダ１における蓋体３の上面部３２に一対の傾斜面３２１によって形成された各谷と対向することにより、各流入口５３ａから滴下した水は、直接各谷に形成された導入口３２ａから滴下する。あるいは、各流入口５３ａから流出した水は、上方の植栽ホルダ１における蓋体３の上面部３２に形成された傾斜面３２１を流下して各谷に集められ、その導入口３２ａから滴下する。
【００６９】
次いで、上方の植栽ホルダ１の上面部３２に形成された導入口３２ａを通して内部に流入した水は、上方の植栽ホルダー１に収容された植栽物Ｐの根部ｒに代替土壌Ｓを通して供給される。一方、上方の植栽ホルダー１に収容された植栽物Ｐの根部ｒに供給された水は、代替土壌Ｓを通して滴下し、底面部２２に貯留される。上方の植栽ホルダー１の底面部２２に水が順次滴下し、水位が上昇して堰２２１を越えると、堰２２１に形成された流出口２２ａから流出する。そして、上方の植栽ホルダ１の底面部２２に形成された流出口２２ａから流出した水は、収納コンテナ５の下方に収納された植栽ホルダ１における蓋体３の上面部３２に滴下し、上面部３２の傾斜面３２１に沿って流下するとともに、一対の傾斜面３２１によって形成された各谷に集められ、その導入口３２ａから内部に流入する。下方の植栽ホルダ１の内部に導入口３２ａから滴下した水は、その内部に収容された植栽物Ｐの根部ｒに代替土壌Ｓを通して供給された後、代替土壌Ｓを通して流下し、底面部２２に貯留される。下方の植栽ホルダー１の底面部２２に水が順次滴下し、水位が上昇して堰２２１を越えると、堰２２１に形成された流出口２２ａから流出する。
【００７０】
この場合、下方の植栽ホルダー１の底面部２２に形成された流出口２２ａは、収納コンテナ５の底壁部５１に形成された排水口５１ａと対向していることにより、下方の植栽ホルダー１の底面部２２に形成された流出口２２ａから滴下する水は、収納コンテナ５の底壁部５１に形成された排水口５１ａを通して下方の収納コンテナ５の上壁部５３に流下し、下方の収納コンテナ５の上壁部５３に供給された水と合流して、以下前述したように、下方の収納コンテナ５に収納された上方の植栽ホルダ１の植栽物Ｐに水を供給した後、その下方の植栽ホルダ１の植栽物Ｐに水を供給するものである。
【００７１】
なお、最下段の収納コンテナ５においては、その下端面に接合可能な受け皿６が配設されており、上方から順に流下し、最下段の収納コンテナ５の排水口５１ａから水が流出すると、地面などへの流出を防止して、最終的に受け皿６に回収される。したがって、受け皿６に水が一定量貯留されたならば、この水を再び灌水に利用することも可能となる。
【００７２】
このように、複数列および複数段の緑化ユニット１０によって簡単に緑化システム１００を形成することができる。例えば、壁面に沿って緑化ユニット１０を積み重ねることにより、壁面を緑化したり、公園や学校などの公共施設の周囲に緑化ユニット１０を複数段にわたって積み重ねて、生垣や外構を形成することもできる。しかも、収納する植栽ホルダー１を簡単に交換することができることから、季節によって植栽物Ｐを変更することも可能となる。例えば、植栽物Ｐを変更する場合は、植栽ホルダー１の後端部を持ち上げてその係止片２３２をガイドレール５２１，５５１に載せた後、植栽ホルダー１を引き出し、新たな植栽物Ｐを収納した植栽ホルダー１を空いた収容空間に押し込めばよい。
【００７３】
なお、前述した実施形態においては、植栽ホルダー１をホルダー本体２と、該ホルダー本体２に回動自在に連結された蓋体３とから構成した場合を例示したが、必ずしも蓋体３を設ける必要はなく、ホルダー本体２によって植栽ホルダー１を構成するようにしてもよい。
【００７４】
また、植栽ホルダー１に収容する植栽物Ｐの数としては、２個に限定するものではなく、３個以上であってもよく、図６に示すように、１個の植栽物Ｐを収容可能な植栽ホルダー１であってもよい。図６の植栽ホルダーも、先に説明した植栽ホルダーと同一の構造を有しており、同一の部材には、同一の符号を付して詳細な説明を省略する。
【００７５】
さらに、収納コンテナ５としては、２個の植栽物Ｐを収容した植栽ホルダー１を幅方向に３個、上下方向２個、合計６個の植栽ホルダー１を収納する場合を説明したが、植栽ホルダー１の大きさに合わせて、隔壁５５の立設位置および数を変更することにより、幅方向に任意の数の植栽ホルダー１、すなわち、植栽物Ｐの個数を変えるようにしてもよい。同様に、上下方向に３個以上の植栽ホルダー１を収納するようにしてもよい。この場合、積み重ねられる複数個の植栽ホルダー１の各フランジ２３１の高さに合わせて、例えば、蓋体３を有する植栽ホルダー１のフランジ２３１に合わせて、あるいは、蓋体３のない植栽ホルダー１のフランジ２３１に合わせて、ガイドレール５２１，５５１を設ければよい。
【図面の簡単な説明】
【００７６】
【図１】本発明の緑化システムの一実施形態を基本ユニットとともに示す概略斜視図である。
【図２】本発明の植栽ホルダーの一実施形態を植栽物およびその根部を包む代替土壌とともに示す斜視図である。
【図３】本発明の収納コンテナの一実施形態を植栽物を収容した植栽ホルダーとともに示す斜視図である。
【図４】収納コンテナに植栽物を収容した植栽ホルダーを収納した状態を一部省略して示す断面図である。
【図５】植栽ホルダーのフランジと収納コンテナのガイドレールおよびその切欠部の関係を説明する説明図である。
【図６】植栽ホルダーの変形例を示す斜視図である。
【符号の説明】
【００７７】
１  植栽ホルダー
２  ホルダー本体
２１  正面部
２１ａ  切欠部
２２  底面部
２２ａ  流出口
２２１  堰
２２２  支持リブ
２３  側面部
２３１  フランジ
２３２  係止片
３  蓋体
３１  正面部
３１ａ  切欠部
３２  上面部
３２ａ  導入口
３２１  傾斜面
３３  側面部
５  収納コンテナ
５１  底壁部
５１ａ  排水口
５２  側壁部
５２ａ  切欠部
５２１  ガイドレール
５３  上壁部
５３ａ  流入口
５３２  傾斜面
５５  隔壁
５５ａ  切欠部
５５１  ガイドレール
１０  緑化ユニット
１００  緑化システム
Ｐ  植栽物
ｆ  葉茎部
ｒ  根部
Ｓ  代替土壌
【図１】
2009082102.tif 000003
【図２】
2009082102.tif 000004
【図３】
2009082102.tif 000005
【図４】
2009082102.tif 000006
【図５】
2009082102.tif 000007
【図６】
2009082102.tif 000008